(57)【要約】【課題】鍛え上げた筋肉を持つ人が着たときに、その人の逆三角形のボディラインにフィットする衣服を提供する。【解決手段】本発明に係る衣服は、ウエスト部が絞られている衣服であって、後身頃が、裾部分において前面側にせり出した状態で、前身頃と縫い合わされている。本発明に係る衣服において、前記後身頃とヨークが縫い合わされた中央部には、センターボックス型のプリーツが形成されていることが好ましい。本発明に係る衣服において、前記後身頃の背中部分には、縦方向に２本のダーツが形成されていることが好ましい。【選択図】図１
2018059247.tif 000002
【特許請求の範囲】
【請求項１】
ウエスト部が絞られている衣服であって、
後身頃が、裾部分において前面側にせり出した状態で、前身頃と縫い合わされている衣服。
【請求項２】
前記後身頃とヨークが縫い合わされた中央部には、センターボックス型のプリーツが形成されている請求項１に記載の衣服。
【請求項３】
前記後身頃の背中部分には、縦方向に２本のダーツが形成されている請求項１又は２に記載の衣服。
【発明の詳細な説明】
【技術分野】
【０００１】
本発明は、鍛え上げた筋肉を持つ人が着たときに、その人の逆三角形のボディラインにフィットする衣服に関する。
【背景技術】
【０００２】
近年、トレーニングにより筋肉を鍛える人が増えている。それは、盛り上がった肩、厚みのある背中、そして引き締まった腰という３つの要素を持った逆三角形の体型になるためである。そのような体型は、特に男性の場合、見た目がよく格好いい体型とされており、そのような体型を手に入れることのできない人には見た目の体格を誇張できるようなボディースーツが提案されている（特許文献１）ほど、あこがれの体型である。
【先行技術文献】
【特許文献】
【０００３】
【特許文献１】実用新案登録第３１５０６９５号公報
【発明の概要】
【発明が解決しようとする課題】
【０００４】
しかし、鍛え上げた筋肉を持ち、逆三角形の体型の人は、普段着る衣服に困っていることが多い。これは、一般的に販売されている衣服は、幾つかの標準的な体型を想定して作られており、逆三角形の体型に合うように作られていないからである。鍛え上げた筋肉を持つ人が標準的な体型を想定して作られた衣服を着ると、その人の逆三角形のボディラインにフィットせず、逆三角形のボディラインを魅せることができない。
【０００５】
そこで、本発明は、鍛え上げた筋肉を持つ人が着たときに、その人の逆三角形のボディラインにフィットする衣服を提供すること目的とする。
【課題を解決するための手段】
【０００６】
本発明に係る衣服は、ウエスト部が絞られている衣服であって、後身頃が、裾部分において前面側にせり出した状態で、前身頃と縫い合わされている。本発明に係る衣服において、前記後身頃とヨークが縫い合わされた中央部には、センターボックス型のプリーツが形成されていることが好ましい。本発明に係る衣服において、前記後身頃の背中部分には、縦方向に２本のダーツが形成されていることが好ましい。
【発明の効果】
【０００７】
本発明によれば、鍛え上げた筋肉を持つ人が着たときに、その人の逆三角形のボディラインにフィットする衣服を提供することができる。
【図面の簡単な説明】
【０００８】
【図１】本発明の一実施形態であるシャツの構成を示す正面図である。
【図２】本発明の一実施形態であるシャツの構成を示す背面図である。
【発明を実施するための形態】
【０００９】
本発明に係る衣服は、シャツ、ブラウス、プルオーバー、カットソー、ワンピース、コート、ジャケット、カーディガン、パジャマ、ベスト、ケープなどの上衣であり、鍛え上げた筋肉を持つ人が着ることを想定したものである。
【００１０】
本発明の一実施形態であるシャツの構成を図１及び図２に示す。図１及び図２に示すシャツは、前身頃１と後身頃２とヨーク３と衿４と袖５とからなっており、鍛え上げた筋肉を持つ人が着たときに、その人の逆三角形のボディラインにフィットするように、ウエスト部１２が大きく絞られている。
【００１１】
前身頃１は体の前面を覆う部分であり、後身頃２は体の背面を覆う部分であり、肩を跨いで体の前面から背面にかけて切り替え布であるヨーク３が配置される。ヨーク３は、体の前面で前身頃１の上辺と縫い合わされており、体の背面で後身頃２の上辺と縫い合わされている。前身頃１及び後身頃２の上辺の中央部は、内側から首を出すことができるような衿４が形成されている。前身頃１及び後身頃２の側辺の上部は、ヨーク３の側辺とともに袖５の上端と縫い合わされ、腕を通すためのアームホール部１３が形成されている。鍛え上げた筋肉を持つ人は、通常、腕も太いことから、アームホール部１３は一般的なシャツより大きく形成される。
【００１２】
アームホール部１３の下から裾部分１１までの前身頃１及び後身頃２の側辺は、互いに縫い合わされている。ここで、本発明では、後身頃２が、裾部分１１において前面側にせり出した状態で、前身頃１と縫い合わされていることが特徴である。こうすることで、鍛え上げた筋肉を持つ人が着たときに、その人の逆三角形のボディラインをさりげなく魅せることができる。このシャツはウエスト部１２が大きく絞られていることから、通常のシャツのように体の脇に沿って前身頃１と後身頃２が縫い合わされていると、腹まわりがボテッとしたシルエットになってしまう。
【００１３】
後身頃２とヨーク３が縫い合わされた中央部には、後身頃２側にプリーツ２１が形成されていることが好ましい。なお、プリーツ２１とはヒダのことであり、後身頃２とヨーク３が縫い合わされた中央部にプリーツ２１を形成することで、背中の運動量を補助することができる。プリーツ２１の形態としては、ギャザー型、サイドタック型、センターボックス型などが挙げられるが、特に本発明では、図１及び図２に示すように、センターボックス型のプリーツ２１を形成することが好ましい。鍛え上げた筋肉を持つ人は、通常、肩まわりが大きいが、センターボックス型のプリーツ２１を形成することで、肩まわりの十分な動きやすさを実現することができる。
【００１４】
後身頃２の背中部分には、ダーツ２２が形成されていることが好ましい。なお、ダーツ２２とは、布にヒダを取ってつまみ縫いした部分をいい、その折り山が途中で消えるものである。後身頃２の背中部分にダーツ２２を形成することで、ウエスト部１２が絞られて、すっきりしたシルエットに見えるようになる。特に本発明では、図１及び図２に示すように、後身頃２の背中部分に、縦方向に２本のダーツ２２を形成することが好ましい。縦方向に２本のダーツ２２を形成することで、鍛え上げた筋肉を持つ人が着たときに、ウエスト部１２がさらに絞られたシルエットに見えるようになる。
【００１５】
前身頃１は、通常、中央ラインで左右２つに分断されており、そこには前立て６が形成される。前立て６としては、シャツの前端が表側に折り返っている表前立て、シャツの前端が内側に折り返っている裏前立て、前立てを二重にしてボタンを見えなくした比翼仕立てなどが挙げられ、例えば、図１及び図２に示すシャツでは、表前立てが形成されている。前立て６の上側になる前身頃１（上前身頃）には適宜ボタンホール７が形成され、前立て６の下側になる前身頃１（下前身頃）には、ボタンホール７の位置に合わせてボタン８が縫い付けられる。なお、前身頃１は、中央ラインで左右２つに分断されていなくてもよく、中央ラインの上部から中央付近までが分断されており、その部分に前立て６が形成されていてもよく、前立て６が形成されていないシャツでも構わない。
【００１６】
衿４は、通常、土台となる帯状の台衿と、衿の先端部分である衿先で構成されており、台衿の下辺と前身頃１の上辺及びヨーク３の側辺とが縫い合わされている。衿４の形状としては、レギューラカラー、ショートポイントカラー、ロングポイントカラー、ナロースプレッドカラー、ワインドスプレッドカラー、フレンチカラー、ミディアムスプレッドカラー、ホリゾンタイルカラー、ボタンダウン、スナップダウン、タブカラー、ピンホールカラー、イタリアンカラー、ラウンドチップカラー、ラウンドカラー、マイターカラー、スタンドカラー、ウイングカラー、ラウンドウイングカラー、ドュエボットーニ、トレボットーニ、クレリックなどが挙げられる。なお、衿４は必須構成ではなく、衿４のないシャツでも構わない。
【００１７】
袖５は、腕の少なくとも一部を覆う部分で、長袖、七分袖、五分袖、半袖などが知られている。一般に、長袖の場合の袖５の先端には、シャツの着脱や袖まくりが便利になるように切り込みが形成され、その部分に短冊状の剣ボロが縫い付けられており、さらに袖５の先端を留めるカフスが縫い付けられている。カフスとしては、コンバーチブルカフス、ダブルカフス、シングルカフス、ターンナップカフス、テニスカフスなどが挙げられる。なお、袖５は必須構成ではなく、袖５のないシャツでも構わない。
【００１８】
前身頃１の胸部分には、ポケット９が形成されていてもよい。ポケット９の形状としては、角落とし、スクエア、ベース、ペンタゴン、フラップ、ラウンドなどが挙げられる。なお、ポケット９は必須構成ではなく、ポケット９のないシャツでも構わない。
【００１９】
裾部分１１は、前述のように、後身頃２が前面側にせり出した状態で前身頃１と縫い合わされていればよい。裾部分１１の形状としては、テールドボトム、スワローボトム、スクエアボトムなどが挙げられる。裾部分１１には、前身頃１と後身頃２の縫い目が裂けないように補強するガジェットが縫い付けられていてもよい。
【００２０】
衣服を形成する生地の素材及び織り方は、衣服の使用目的等を考慮して適宜選択すればよい。生地の素材としては、綿、麻、ポリエステルなどが挙げられる。生地の織り方としては、ブロード、オックスフォード、サテン、シャンブレー、ローン、ボイル、刺子織、絡み織、フランス綾カルゼ、バスケット、ヘリンボーン、ドビー、ジャガードなどが挙げられる。
【００２１】
以上のような衣服であれば、鍛え上げた筋肉を持つ人が着たときに、その人の逆三角形のボディラインにフィットするようになり、鍛え上げた体のラインをさりげなく魅せることができる。
【符号の説明】
【００２２】
１    前身頃
２    後身頃
３    ヨーク
４    衿
５    袖
６    前立て
７    ボタンホール
８    ボタン
９    ポケット
１１  裾部分
１２  ウエスト部
１３  アームホール部
２１  プリーツ
２２  ダーツ
【図１】
2018059247.tif 000003
【図２】
2018059247.tif 000004